(57)【要約】【課題】容器内に入れる薬剤等に何ら触れることなく、これを適宜な温度に加熱・保温することができる保温機能付き薬剤撹拌用容器を提供する。【解決手段】保温機能付き薬剤撹拌用容器１は、１種又は２種以上の薬剤を収納し混合・撹拌するための収納凹部を備える器状の容器であって、前記収納凹部２の内周壁と底部側の外周壁３との間に保温用の液体を収納するための液体収納用空隙４を設けるとともに、前記収納凹部の一部に前記液体収納用空隙に通じる開口部５を形成する。【選択図】図１
0003162729.tif 000002
【実用新案登録請求の範囲】
【請求項１】
薬剤を収納し混合・撹拌するための収納凹部を備える器状の容器であって、前記収納凹部の内周壁と底部側の外周壁との間に保温用の液体を収納するための液体収納用空隙を設けるとともに、前記収納凹部の一部に前記液体収納用空隙に通じる開口部を形成することを特徴とする保温機能付き薬剤撹拌用容器。
【請求項２】
薬剤撹拌用容器は、収納凹部を含む上部材と外周壁を含む下部材とに分離されて構成され、前記上部材と下部材とは薬剤撹拌用容器の上面において着脱自在に係合することを特徴とする請求項１記載の保温機能付き薬剤撹拌用容器。
【請求項３】
液体収納用空隙には、開口部から保温用の液体を注ぎ込み及び排出することを特徴とする請求項１又は２記載の保温機能付き薬剤撹拌用容器。
【請求項４】
開口部近傍における収納凹部と液体収納用空隙のそれぞれの水平面からの角度を、前記液体収納用空隙よりも収納凹部の方を大きくすることを特徴とする請求項１に記載の保温機能付き薬剤撹拌用容器。
【請求項５】
容器は、耐熱性を有する合成樹脂材からなることを特徴とする請求項１に記載の保温機能付き薬剤撹拌用容器。
【考案の詳細な説明】
【技術分野】
【０００１】  本考案は、理美容室、エステティックサロン又は自宅で毛染め、ローション塗布などを行う場合に、使用する薬剤等を撹拌、混合するために使用する容器に係り、特に薬剤等を好適な温度に保温することができる容器に関するものである。
【背景技術】
【０００２】  従来、毛染め専用として用いられているのは、上面開口のどんぶり状のカップや、汎用の適宜な大きさのカップであり、これにパウダー状の薬剤等を撹拌して髪に塗りやすいように多少粘性のあるクリーム状にして、これを毛染め剤として用いている。【０００３】  従来の毛染め用のカップとしては、見かけのデザインのみを追求したり、撹拌しやすさだけを求めたりするものばかりであった。そして、毛染めをされる側としては、冷たい毛染め剤等を頭に付けられて、特に冬季は冷やっとする不快感を感じていたが、それでも我慢せざるを得なかった。
そこで、毛染め剤用のカップではないが、同様な問題を有しているシェービング用カップにおいて、カップを適宜な温度に保温する構造の下記考案が案出された。そして、この考案を毛染め剤用のカップに応用することも考えられる。
【先行技術文献】
【特許文献】
【０００４】
【特許文献１】実開平０１−１６４９０８号公報
【考案の概要】
【考案が解決しようとする課題】
【０００５】  しかしながら、上述した従来のシェービング用カップは、内蔵した電気ヒータでカップを加熱して、サーモスタットで温度調節を行うという大掛かりなものであり、単なる撹拌用のカップとしては高価なものとならざるを得なかった。また、薬剤等を暖めながら撹拌していき、適温になったから加熱を止めるべく電源を切っても、ヒーターは直ぐには冷えないので、しばらく加熱状態が維持され、これにより薬剤等の温度変化が進行し過ぎてしまうことがあった。【０００６】  本考案は、このような実情に鑑みてなされたものであり、毛染め等を行う際に、容器で撹拌、混合する薬剤等を体温に近い好適な温度に保温することにより、処置される人にとって冷やっとする不快感をなくすことができるとともに、薬剤等を加熱し過ぎることなく適温に維持することができ、かつ廉価に提供することができる保温機能付き薬剤撹拌用容器を提供することを目的とするものである。
【課題を解決するための手段】
【０００７】  上記解決課題に鑑みて鋭意研究の結果、本考案者は、容器内に入れる薬剤等に何ら触れることなく、これを適宜な温度に加熱・保温することができる保温機能付き薬剤撹拌用容器を案出するに至った。【０００８】  すなわち、本考案の保温機能付き薬剤撹拌用容器は、薬剤を収納し混合・撹拌するための収納凹部を備える器状の容器であって、前記収納凹部の内周壁と底部側の外周壁との間に保温用の液体を収納するための液体収納用空隙を設けるとともに、前記収納凹部の一部に前記液体収納用空隙に通じる開口部を形成することを特徴とする。【０００９】  また、薬剤撹拌用容器は、収納凹部を含む上部材と外周壁を含む下部材とに分離されて構成され、前記上部材と下部材とは薬剤撹拌用容器の上面において着脱自在に係合することを特徴とする。【００１０】  また、液体収納用空隙には、開口部から保温用の液体を注ぎ込み及び排出することを特徴とする。【００１１】  また、開口部における収納凹部と液体収納用空隙のそれぞれの水平面からの角度を、前記液体収納用空隙よりも収納凹部の方を大きくすることを特徴とする。【００１２】  また、容器は、耐熱性を有する合成樹脂材からなることを特徴とする。
【考案の効果】
【００１３】  以上、説明したように、本考案の保温機能付き薬剤撹拌用容器によれば、容器内に入れる薬剤等に何ら触れることなく、これを適宜な温度に加熱・保温することができ、毛染め等を処置される人にとって冷やっとする不快感をなくすことができる保温機能付き薬剤撹拌用容器を廉価に提供できるものである。
【図面の簡単な説明】
【００１４】
【図１】  本考案の保温機能付き薬剤撹拌用容器の断面図である。
【図２】  本考案の保温機能付き薬剤撹拌用容器の平面図である。
【図３】  本考案の保温機能付き薬剤撹拌用容器の分解図である。
【図４】  本考案の保温機能付き薬剤撹拌用容器を傾けた状態を示す説明図である。
【図５】  本考案の保温機能付き薬剤撹拌用容器で加熱を止めた状態を示す説明図である。
【考案を実施するための形態】
【００１５】  以下、図面を参照しながら、本考案の保温機能付き薬剤撹拌用容器について詳細に説明する。図１〜図４は、本考案の実施の形態を例示する図であり、これらの図において、同一の符号を付した部分は同一物を表し、基本的な構成及び動作は同様であるものとする。
【００１６】  図１〜図４は、本考案の保温機能付き薬剤撹拌用容器を示し、この保温機能付き薬剤撹拌用容器１は、耐熱性を有する合成樹脂材からなり、撹拌する薬剤を入れるための収納凹部２を備える上面を開口した器状、ドンブリ状の容器であって、その収納凹部２の内周壁と底部側の外周壁３との間に保温用の液体を収納するための液体収納用空隙４を設けるとともに、収納凹部２の一部に液体収納用空隙４に通じる開口部５を形成している。
【００１７】  そして、図１に示すごとく、保温機能付き薬剤撹拌用容器１の開口部５から適宜な温度、例えば薬剤加熱の設定温度より高い温度のお湯６を、液体収納用空隙４に例えば半分程度入れて、収納凹部２を裏側から加熱するとともに、収納凹部２の内側に毛染め等に用いる薬剤７を入れて撹拌するものである。この薬剤７は、例えば２種の薬剤を撹拌して得られる、緩いクリーム状の物体であるものとする。
【００１８】  図３は、本実施例の保温機能付き薬剤撹拌用容器１の構造を表し、収納凹部２から上面にかけての上部材８と、上面近くから外周壁３を経て底部に至る下部材９の２つの部材を上面において係合させる構造としている。このような構造とすることにより、本考案の保温機能付き薬剤撹拌用容器１を合成樹脂材にて容易に射出成形することができるものであり、すなわち上部材８と下部材９とを別個に寸法精度よく成形して製造することができるとともに、上部材８と下部材９とからなる容器について、使用後に容器を上部材８と下部材９とに分解して、内部の液体収納用空隙４を清掃することが容易に行えるものである。
【００１９】  保温機能付き薬剤撹拌用容器１は、図１に示すごとく、開口部における収納凹部の水平面からの角度θ１と液体収納用空隙の水平面からの角度θ２を、
θ１＜θ２
とするものである。
このようにすることで、図４に示すごとく、保温機能付き薬剤撹拌用容器１の開口部５からお湯６を排出する際に、保温機能付き薬剤撹拌用容器１を傾けていくと、液体収納用空隙４内のお湯６が開口部５から排出され始めるが、このとき収納凹部２の薬剤７は収納凹部２内に溜まっていて排出されないものである。また、薬剤７はお湯６と比較して粘度が高いので、容器１を傾斜させても盛り上がって容器１からこぼれにくいものである。
これにより、薬剤７をこぼすことなく、お湯６の排出を容易に行うことができる。
【００２０】  このような構成からなる本考案の保温機能付き薬剤撹拌用容器１の使用方法としては、開口部５から液体収納用空隙４へ、例えば６０〜８０℃程度のお湯６を空隙の半分くらいの深さまで入れて、容器、特に収納凹部２を裏側から加温する。そして、収納凹部２に毛染め等に用いる薬剤７を入れて撹拌する。薬剤７が十分撹拌され、そして適温に達したところで、容器を傾けて液体収納用空隙４内のお湯６を開口部５から排出する。これにより、収納凹部２の加熱は直ぐに止まって薬剤７は過度に加熱されることなく、適温に保たれ、そして好適な温度のままで使用者に用いられるものである。
この際、お湯６は完全に排出される必要はなく、図５に示すように、収納凹部２に接しなくなる程度に湯面が下がればよいものである。
【００２１】  以上、本考案の保温機能付き薬剤撹拌用容器について、具体的な実施の形態を示して説明したが、本考案はこれらに限定されるものではない。例えば、毛染めの薬剤以外にも、シェービング・クリーム、ローションなどの薬剤にあっても使用することができる。当業者であれば、本考案の要旨を逸脱しない範囲内において、上記各実施形態における保温機能付き薬剤撹拌用容器の構成及び機能に様々な変更・改良を加えることが可能である。
【産業上の利用可能性】
【００２２】  本考案の保温機能付き薬剤撹拌用容器は、理容・美容、エステティックサロンの業界において好適に利用することができるものである。
【符号の説明】
【００２３】  １  保温機能付き薬剤撹拌用容器
２  収納凹部
３  外周壁
４  液体収納用空隙
５  開口部
６  お湯
７  薬剤
８  上部材
９  下部材
【図１】
0003162729.tif 000003
【図２】
0003162729.tif 000004
【図３】
0003162729.tif 000005
【図４】
0003162729.tif 000006
【図５】
0003162729.tif 000007